(57)【特許請求の範囲】
【請求項１】
土台に柱等の縦材の端部を接続して補強する縦材の補強構造であって、
前記土台に一端が開口した断面台形錘状のほぞ溝を溝加工し、
前記縦材の端部に前記溝加工された前記ほぞ溝に嵌入係合するほぞを形成し、
前記ほぞ溝の外形形状に合わせた切欠部と根太を接続固定する根太固定部とを有する横材受け金具を前記土台の前記ほぞ溝に合わせて当接させ、
前記土台のほぞ溝の開口部から前記柱のほぞを嵌入係合し、
前記横材受け金具に前記根太を接続固定する、
ことを特徴とする縦材の補強構造。
【発明の詳細な説明】
【０００１】
【発明の属する技術分野】
本発明は、木造建築物における縦材の支持構造に関し、特に、熟練を要することなく簡単にかつ短時間で接続することができ、かつ、十分な強度を確保できる縦材の補強構造に関する。
【０００２】
【従来の技術】
一般に、木造建築物においては、土台が布基礎にアンカーボルトで固定され、この土台上に縦材としての柱が立設され、コンクリート基礎上に横材としての根太の中間部を支持する大引き梁が設けられ、大引き梁の両端は土台に嵌合固定される。また、根太の両端部は、土台に固定される。
【０００３】
従来、土台と柱の端部との接続は、図７に示すように、土台１０側に形成された断面立方体のほぞ溝１１に、柱２０の端部に突設形成された立方体状のほぞ２１を嵌入係合させることにより接続している。
【０００４】
【発明が解決しようとする課題】
しかしながら、上記した土台と縦材としての柱の端部との接続方法によると、ほぞをほぞ溝に嵌入係合するためには、熟練と多くの時間を要し誰でも容易に短時間で組み立て接続できないという問題があった。また、この接続は、単に、ほぞをほぞ溝に嵌入係合するものであるため、何らかの原因で柱が上方向（図中Ｙ方向）に抜けやすくなる、即ち、十分な強度を確保できなくなるという問題があった。
【０００５】
従って、本発明の目的は、熟練を要することなく簡単にかつ短時間で接続することができ、かつ、十分な強度を確保できる縦材の補強構造を提供することにある。
【０００６】
【課題を解決するための手段】
本発明は、上記の目的を達成するために、土台に柱等の縦材の端部を接続して補強する縦材の補強構造であって、前記土台に一端が開口した断面台形錘状のほぞ溝を溝加工し、前記縦材の端部に前記溝加工された前記ほぞ溝に嵌入係合するほぞを形成し、前記ほぞ溝の外形形状に合わせた切欠部と根太を接続固定する根太固定部とを有する横材受け金具を前記土台の前記ほぞ溝に合わせて当接させ、前記土台のほぞ溝の開口部から前記柱のほぞを嵌入係合し、  前記横材受け金具に前記根太を接続固定する、ことを特徴とする縦材の補強構造を提供するものである。
【０００７】
【発明の実施の形態】
以下、添付図面を参照しながら、本発明の実施の形態を詳細に説明する。
【０００８】
図１は、本発明の実施の形態による木造建築物における縦材の補強構造の概要を示す図である。
図に示すように、この縦材の補強構造は、土台１０と、縦材としての柱２０と、横材としての根太３０と、根太３０を嵌合固定する横材受け金具４０と、からなる構造であって、横材受け金具４０を土台１０に当接させ、柱２０を土台１０に嵌入係合し、根太３０を横材受け金具４０に嵌合固定することにより、柱２０を支持補強するようにした構造である。
【０００９】
図２は、この土台１０と柱２０の概略斜視図である。
図２（ａ）に示すように、土台１０には、断面台形錐状のほぞ溝１２が幅方向の一端から他端の近傍にかけて溝加工されている。即ち、土台１０の１側面がほぞ溝１２によって開口している状態である。また、図２（ｂ）に示すように、柱２０には、台形錐状のほぞ２２が幅方向の一端から他端の近傍にかけて形成されている。この柱２０のほぞ２２は、土台１０のほぞ溝１２の開口部１２Ａから嵌入係合される。なお、土台１０あるいは柱２０において全幅方向にわたってほぞ溝やほぞが加工あるいは形成されていないのは、ほぞ２２をほぞ溝１２に嵌入係合したときに、ほぞ２２の一端を係止するためである。
【００１０】
図３は、横材受け金具４０の概略斜視図である。
図に示すように、この横材受け金具４０は、根太３０を嵌合して固定する根太固定部４１と、土台１０に当接される土台当接部４２と、からなる。根太固定部４１は、根太３０の縦横の寸法に合わせて凹形状に形成されており、その側部４１Ａには、根太３０をボルト接続するためのボルト穴４１１が左右にそれぞれ３箇所、合計６箇所、設けられている。また、土台当接部４２には、土台１０に溝加工されたほぞ溝１２の外形形状に合わせた切欠部４３が形成されている。
【００１１】
以下、図４〜図６に基づいて、柱（縦材）の補強手順を説明する。
まず、図４に示すように、土台１０のほぞ溝１２に、横材受け金具４０の土台当接部４２に設けられた切欠部４３を合わせる。次に、図５に示すように、柱２０を土台１０の横に位置させ、柱２０のほぞ２２を土台１０のほぞ溝１２の開口部１２Ａから嵌入係合する。ほぞ溝１２およびほぞ２２は、その全幅方向にわたって加工・形成されていないので、ほぞ２２をほぞ溝１２に嵌入係合したときに、ほぞ２２はほぞ溝１２の端部において係止される。そして、図６に示すように、根太３０を横材受け金具４０の凹部に嵌合する。このとき、根太３０の端部はほぞ溝１２とほぞ２２の嵌合部に当接し、柱２０を抑える状態となる。そして、根太固定部４１の側部４１Ａのボルト穴４１１にボルト（図示せず）を挿し込み、根太３０と根太固定部４１をボルト接続する。
【００１２】
以上のように、土台１０のほぞ溝１２を断面台形錐状に溝加工し、その溝加工されたほぞ溝１２の開口部１２Ａから柱２０の端部に形成された台形錐状のほぞ２２を嵌入係合するようにしたので、簡単にかつ短時間で接続（嵌入係合）することができる。また、ほぞ溝１２およびほぞ２２が断面台形錘状および台形錘状であるので、嵌入係合されたほぞ１２は上方向（図１中、Ｙ方向）に抜けることはない。また、切欠４３が形成された横材受け金具４０の土台当接部４２を土台１０に当接させ、この切欠４３およびほぞ溝１２の開口部１２Ａから柱２０のほぞ２２を嵌入係合すると、横材受け金具４０がほぞ２２の一端で係止固定されるので、横材受け金具４０も抜けることがない。更に、横材受け金具４０に根太３０を嵌合固定するようにしたので、根太３０の端部がほぞ溝１２とほぞ２２の嵌合部に当接し柱２０を抑える状態となり、柱２０の横方向（図１中、Ｚ方向）に抜けることもない。従って、縦材の強度を十分に確保することができる。
【００１３】
なお、本発明は、上記の実施の形態に限定されるものではなく、例えば、横材受け金具を鍛造製としてもよく、横材受け金具の大きさも横材の寸法に対応したものとしてもよい。また、形状等も適宜変更することができる。また、上記の説明では、柱と土台の交差する部位における縦材の補強構造について説明したが、これに限られるものではなく、縦材と横材が交差するような部位、例えば、柱間に配設される間柱と土台が交差する部位、あるいは、２階建て建築等における柱と同差しとが交差する部位等に設けるようにしても良い。
【００１４】
【発明の効果】
以上説明したとおり、本発明の木造建築物における縦材の支持構造によれば、土台に柱等の縦材の端部を接続して補強する縦材の補強構造であって、前記土台に一端が開口した断面台形錘状のほぞ溝を溝加工し、前記縦材の端部に前記溝加工された前記ほぞ溝に嵌入係合するほぞを形成し、前記ほぞ溝の外形形状に合わせた切欠部と根太を接続固定する根太固定部とを有する横材受け金具を前記土台の前記ほぞ溝に合わせて当接させ、前記土台のほぞ溝の開口部から前記柱のほぞを嵌入係合し、前記横材受け金具に前記根太を接続固定する、ようにしたので、熟練を要することなく簡単にかつ短時間で接続することができ、かつ、縦材の強度を十分に確保することができる。
【図面の簡単な説明】
【図１】本発明の実施の形態による木造建築物における縦材の補強構造の概要を示す図である。
【図２】土台と柱の概略斜視図である。
【図３】横材受け金具の概略斜視図である。
【図４】本発明の実施の形態による縦材補強構造の補強手順を示す図である。
【図５】本発明の実施の形態による縦材補強構造の補強手順を示す図である。
【図６】本発明の実施の形態による縦材補強構造の補強手順を示す図である。
【符号の説明】
１０    土台
１２    ほぞ溝
１２Ａ  開口部
２０    柱
２２    ほぞ溝
３０    根太
４０    横材受け金具
４１    根太固定部
４１Ａ  側部
４１１  ボルト穴
４２    土台当接部
４３    切欠部
【図１】
0003622180.tif 000002
【図２】
0003622180.tif 000003
【図３】
0003622180.tif 000004
【図４】
0003622180.tif 000005
【図５】
0003622180.tif 000006
【図６】
0003622180.tif 000007